(57)【要約】      （修正有）【課題】    従来のメガネは、取り扱い時にレンズの傷付きと、手垢付きのおそれが多かった、又、片手での使用が困難であった。【解決手段】    本発明は、［図４］に示しているように、メガネ中央本体ブリッジ、２、に、バネブリッジ、１、を、取り付け載置面、１９、に、バネブリッジ、１、と、レンズフレーム、４、を接点させ、レンズ、７、と、載置面、１９、との間に空間を作りレンズの傷付きを防ぐ、それにより、［図４］のように機能することによりレンズに手が触れることを避けることができ、又、手垢付き防止が可能である、それによりメガネつる、５、と、６、を伸ばしたままでも、又、折りたたんでも、載置面が平面であれば自由に回転させて、つるを握ることができるので、取り扱いの困難も解消が可能である、又、レンズの傷付くおそれを防止できるため、どんな角度でも載置面が平面であればメガネを置くことができる、そのため、片手の不自由な方でも使用できる。【選択図】図４
2006323324.tif 000002
【特許請求の範囲】
【請求項１】
バネブリッジ、１、取り付け装置は、取り付けるのに、メガネブリッジ、２を、取り付け装置の中にはさみ、バネブリッジ、１、の圧力バネの力を、取り付けレンズフレーム、３，４に押し付けて、接触部分に伝え、取り付け部の、フレーム３、４に、合うように曲げ、その曲げ部取り付け装置、８、９、の中心に、１４、１５の回転用弾力兼耐震ゴムを取り付けレンズフレーム、３、４に、接触させ取り付けを安定させる、そして、取り付け装置両先端を、バネブリッジ、１、の先端方向に曲げ返し、その先端に取り付け装置留め部、１０、１１を、丸形カギ部に形成し、バネブリッジ、１に、外れないようにかるく締め付け取り付ける、そのとき取り付け部、１０、１１を、バネブリッジ、１に、固定しないよう前後に移動できるように取り付けて、レンズフレーム、３、４の、取り付け曲部、８、９の、回転用弾力兼耐震ゴム、１４、１５の、位置と、バネブリッジ、１、取り付け留部、１０、１１の、位置の、中間に取り付け調整曲げ部装置、１２、１３を設け、フレーム、３、４と、バネブリッジ、２の、大きさに合わせ、バネブリッジ、１、取り付け装置、１２、１３、調整曲げ部を曲げて取り付ける、それにより、大きさの異なるメガネでも自由自在に取り付けられる、また、それにより、バネブリッジ、１、取り付け装置、１２、１３を、曲げてブリッジ２に取り付ける、そのさい取り付け部、１０、１１が、調整曲げ部、１２、１３の曲げ方によって、前、後ろに移動できるため、バネブリッジ、１、取り付け装置を最良の取り付けができる、また、バネブリッジ、１、取り付け装置は、ブリッジ２に取り付けるさい、バネブリッジ、１、と、取り付け装置の中にはさむように入れ、バネブリッジ、１、取り付け調整曲げ部、１２、１３の、内側圧力バネの力で、ブリッジ、２に、圧力をかけ取り付けて潤滑に回転収納できる。以上の機能を備えたブリッジ、１、取り付け装置。
【請求項２】
バネブリッジ、１を、直接ブリッジ、２と、レンズフレーム、３、４に、取り付け形成し、バネブリッジ、１、取り付け装置と同じレンズの傷付き、手垢付き防止ができる、メガネと一体に構成製造した、メガネ。
【請求項３】
バネブリッジ、１、取り付け装置は、形成製造するバネ線の直径を、０，５ｍｍの大きさで形成することにより、急な衝撃をうけても曲がるか、ブリッジが回転収納し、安全性を保つ、また、外見から見ても目立つことなく美観面も保つことができる、その、バネ線の大きさを、直径が０、５ｍｍにしたことを特徴とする。
【請求項４】
バネブリッジ、１、付き介助用メガネは、メガネフレーム、３、４の、上部を載置面１９に置き、逆様になるようにする、そして、バネブリッジ、１を、機能するように回転出しして、そして、レンズ前面を載置面に向けて置き、つるを伸ばす、そのとき、バネブリッジ、１、の先端と、レンズフレーム、３、４の、下部の３点を接点させてする、そして、レンズ、７と、載置面、１９が、触れないようにして、レンズ傷付きと、手垢付きがば防止できるので、片手で、メガネを掛け外し、そのまま、載置面、１９に、バネブリッジ、１、先端と、レンズフレーム、３、４、下部を接点させて置きメガネフレーム、つる、５、６を、折りたたみ、そのつる部分を、５、６を、載置面、１９に向けて置き、バネブルッジ、１を、回転収納して、従来のメガネケースの中に収納することができる、この作業を片手で載置面、１９の上で、すべてできる介助用メガネ。
【請求項５】
バネブリッジ、１、取り付け装置の形成を、バネ線の直径を０，５ｍｍの線で、バネブリッジ、１、を半円形に形成して、その両端に取り付け装置、８、９と１０、１１と、１２、１３、１４、１５を、形成し、そして、８、９部分を、直角に外方向に曲げ、そして、レンズフレーム、３、４のはばに合せ直角に下に曲げた部分に、回転用弾力兼耐震ゴム、１４、１５をブリッジ、２の、大きさに合せ取り付け、そして、取り付け部分、８、９を、内側に直角に曲げ返し、レンズフレーム、３、４の、大きさに合せ直角に、ブリッジ、１、先端方向に曲げる、そして、その先端に取り付け装置留め部、１０、１１を、丸るくカギ型に形成し、丸るく締め付けて取り付ける、そして、取り付け部、８、９と、取り付け留め部、１０、１１の、中間に、取り付け装置調整曲げ部、１２、１３を設け、バネブリッジ、１、の取り付け位置の調整が自由にできる、その形成を図７、のように形成したことを特徴としたバネブリッジ、１、取り付け装置。
【請求項６】
１本のバネ線で、バネブリッジ、１、取り付け装置を形成し、取り付け留め部、１０、１１を、バネブリッジ、１、を前後に移動するように取り付けることにより、取り付け調整曲げ部、１２、１３、を大、小に、曲げるさい、取り付け留め部、１０、１１が、前後に移動することにより、安定した取り付けができる、１本のバネ線と、回転用弾力兼耐震ゴム、２コでできることを特徴とする装置。
【請求項７】
取り付け留め装置、１０、１１の、バネブリッジ、１、取り付け部分を円形に形成し、取り付け、前後に移動することにより、レンズフレーム３、４と、ブリッジ、２、を合計した、大きさ、大、小に、自由自在に合せブリッジ、２に、取り付けられる、取り付け留め前後移動装置。
【請求項８】
メガネブリッジ、２の、上から、バネブリッジ、１、を前方に出して取り付けることを特徴とする二重ブリッジ装置。
【発明の詳細な説明】
【技術分野】
【０００１】  本発明は、メガネにおけるレンズの傷付き、手垢付きを防止できる、メガネバネブリッジ、１、取り付け装置並びに該装置に用いる、バネブリッジ、１、及びその製造方法に関する。
【背景技術】
【０００２】
【特許文献１】  実開平５−８５３１号公報
メガネ中央のブリッジ、２に、スペーサー装置をブリッジ、２と、一体にするか、また、ブリッジ、２、と別体のものを固定或は着脱自在に取り付けても良い、また、スペーサー、３は、半球に形成した装置である、その装置をレンズの厚さに合せ、大小に形成し、眼鏡のレンズの保護を、スペーサー、３と、レンズ枠７の下部点８、８の、３点を載置面、４に、接触させてレンズが載置面に触れないようにし、レンズの傷付き防止している装置。
【発明の開示】
【発明が解決しようとする課題】
【０００３】  従来のメガネにあっては、メガネを使用するさい、外して置いたり、取って掛けたりするさいに、レンズが載置面に触れ傷付いたり、また、レンズに手が触れて、手垢が付き、それにより、メガネの取り扱いには気配りが必要であった、また、片手で掛け外ししようとすると、レンズに傷付きや、手垢付きのおそれがあり、片手の不自由な方は、自分一人で取り扱いが困難である、問題点があった。【０００４】  本発明は、メガネを普通に使用しても、レンズに傷付くことと、手垢付くことを防ぐことを目的としており、メガネブリッジ、２に、バネブリッジ、１、取り付け装置を取り付けて、レンズの傷付きや、手垢付きを防止できる、バネブリッジ、１、取り付け装置、８，９と１０，１１と１２，１３と１４，１５の、その製造方法を提供するものである。
【課題を解決するための手段】
【０００５】  上記目的を達成するために、本発明のメガネにおいては、メガネ本体ブリッジ、２に、バネブリッジ、１を、バネ線の直径０，５ｍｍで製造したものを取り付けたものである。【０００６】  上記バネブリッジ、１を、取り付ける位置は、メガネ本体ブリッジ、２の、上部から、前方方向に、取り付けるのが効果的である。【０００７】  また、ブリッジ、２に、バネブリッジ、１を、取り付けるため、レンズフレーム、３、４に、接点させ、ブリッジ、２を、ブリッジ、１と、取り付け装置の中にはさみ、レンズフレーム、３、４に、接触装置、８、９を引っかけて、バネブリッジ、１の両先端バネ線を、ブリッジ、１の、先方方向に曲げ返し、取り付け留め、１０、１１と、ブリッジ取り付け調整曲げ部、１２，１３、装置を形成し、バネブリッジ、１に取り付ける、それにより最小限のバネブリッジ１を製造できる。【０００８】  また、バネブリッジ１は、０，５ｍｍのバネ線を用いて製造することにより、衝撃をうけても折れることなく曲がるり安全性を保持できる、また、細いバネブリッジ、１は目立つことなく必要な強度には、耐えられる。【０００９】  また、バネブリッジ、１に物が衝突した場合は、下向きか、上向きに回転し、衝撃を自然に緩和できる、そして、バネブリッジ、１が外れることなく安全性を保つことができる。【００１０】  また、バネブリッジ、１、取り付け装置は、次の構成で製造して機能する、それにより、ブリッジ、１を、バネ線中心に形成、両先端方向に取り付け装置を形成する。レンズフレーム取り付け接点曲げ部（８、９）を両方に設け、その曲げ部に、回転用弾力兼耐振ゴム、１４、１５を取り付け、その、バネ線先端をブリッジ１の先端前方方向に曲げ返えし、取り付け装置の中心に、ブリッジ２を入れ、取り付け装置、１０、１１を、円形型カギ部に形成し、バネブリッジ１に取り付け留める、その場合かるく締め付け、締め付け部、１０、１１が、バネブリッジ１を前後に移動するようにし、レンズフレーム３，４の取り付け接触部に、取り付け装置８，９の弾力兼耐振ゴム１４，１５を引っかけて、バネブリッジ１の圧力バネの力で、左右レンズフレームに押し付けたままで、バネブリッジ１を前方方向にいっぱいよせ、取り付け装置曲げ部１２、１３を留める、そして、その中間の取り付け調整装置曲げ部兼バネ１２，１３の中に、ブリッジ２を入れて、その大小に関係なく囲むように曲げることにより、自由に調整でき、それにより安定した取り付けができる装置である。
【発明の効果】
【００１１】  上述したように本発明のバネブリッジ、１装置と、取り付け装置は、レンズ傷付き、手垢付きを防止するとともに、また、メガネを使用していても、バネブリッジ、１，取り付け装置は目立たず、美観を損なうことが少なく、ほとんど不愉快なく、レンズの傷付き、手垢付きを防止できる。【００１２】  また、片手が不自由な方でも、片手でレンズに傷付けたり、手垢付けたりせずに、使用できる効果を得ることができる。【００１３】  また、レンズの傷付き、手垢付き防止ができるので、レンズの取り替え回数が少なくできるので、取り替え費用が安くでき、それにより環境にも良く、また、レンズの手垢拭き取り回数を少なくできる効果が期待できる。【００１４】  また、ブリッジ、２に、取り付けるバネブリッジ、１は、細いバネ線で製造するので、レンズフレームと、ブリッジ、２の面よりも、外に２ｍｍ以内に出ることをおさえて取り付け可能なので安全性を保つことができる、また、載置面が平面であれば自由自在に置いてもレンズの傷付きを、防止できる。【００１５】  また、バネブリッジ、１を、取り付けたメガネは、速外し、速つるを伸ばしたまま、載置面に自由に置き、速掛け使用できる。【００１６】  また、バネブリッジ、１、取り付け装置は、回転収納できるので、従来のメガネケースの中にメガネを従来通り収納できる。【００１７】  また、従来のメガネより、取り扱いが容易に出来るので、小学生や、片手の不自由な方や、お年寄りなど取り扱いが困難な方の使用が容易にできる。
【発明の実施するための最良の形態】
【００１８】  以上、本発明の実施の形態を、図１から、図９に基づいて説明する。
【００１９】  図１においては、メガネ本体ブリッジ、２に、バネブリッジ、１を、取り付けたメガネである、そのメガネレンズの傷付き、手垢付き防止装置の斜面図。
【００２０】  図２においては、レンズフレーム、３、４に、バネブリッジ、１を、取り付け装置の接触曲げ部分、１０、１１で、取り付けた、バネブリッジ、１、取り付け装置平面図。
【００２１】  図３においては、図２のＡ−Ａの断面図で、ブリッジ、２に、ブリッジ、１、取り付け装置を取り付け、そして、その取り付け留め１０部を軽く締め、取り付ける、そして、取り付け調節曲げ部、１２を設け、ブリッジ、２と、フレーム４の取り付け部の長さ、大きさに合せ、調節曲げ部、１２を曲げる、その時、取り付け留め部１０を、前、後に移動させ、曲げ部１２と、回転用弾力兼耐震ゴム、１４で、取り付けた横断面。
【００２２】  図４においては、バネブリッジ、１、取り付け装置を取り付けて、速メガネを掛けて、速外し、載置面に、バネブリッジ１先端が上回転しないように、取り付け装置、９下部と、レンズフレームで留めている、バネブリッジ、１、先端と、レンズフレームで、レンズ７を、載置面１９に触れないようにした横正面図。
【００２３】  図５においては、バネブリッジ、１取り付け装置を、ブリッジ、２に、取り付け回転収納した、回転収納位置である、それより、バネブリッジ、１、取り付け装置先端に、衝撃をうけた場合曲がるか、回転収納される、また、バネブリッジ、１、取り付け装置は、０，５ｍｍから２ｍｍ以下しか、外に出ないので、安全性を保つことができる、バネブルッジ、１、取り付け装置を取り付けた平面図。
【００２４】  図６においては、図５のＢ−Ｂの断面図であるが、ブリッジ、２に、バネブリッジ、１、取り付け装置を取り付けて、その中にブリッジ、２を、入れ、１０を留める、それにより、曲げ部、１２のバネの圧力をブリッジ、２に、かけ、装置回転を円滑にできる、断面図。
【００２５】  図７においては、ブリッジ、１と、取り付け装置で構成しているブリッジである、それの材質を、バネ線直径０，５ｍｍを使用し、その中心に、バネブリッジ、１を、形成し、その両方に取り付け装置を設け、直角にフレーム３、４に合せ、外に取り付け装置８、９を曲げ、それが、レンズの方に出ないよにし、下方向に、ブリッジ、２の、幅に合わせ曲げ、その曲げた部に、弾力兼耐震ゴム、１４、１５を取り付け、そして、内側方向に、８、９を曲げる、そしてその先端を、バネブリッジ、１の、先端方向に曲げ、その先端に取り付け留め１０、１１を、カギ型に形成し、ブリッジ、２を中に入れ、バネブリッジ、１に、引っかけて、かるく締め付け前後移動するように取り付ける、それから、取り付け調整曲げ部、１２、１３を設けて、取り付け調整が自由にできる、バネブリッジ、１、取り付け装置。
【００２６】  図８においては、メガネブリッジ、２と、レンズフレーム、３、４に、バネブリッジ、１を取り付けて、バネブリッジ、１の、正面図と、取り付け留め、締め付け部、１０、１１の取り付け位置を示し、また、取り付け装置、８、９を、ブリッジ、２に、取り付けた位置を示し、また、取り付け調整曲部、１２、１３の位置を、大、小に、曲げ取り付け調整が自由にできる、バネブリッジ１の正面図。
【００２７】  図９においては、バネブリッジ１付きメガネを従来のメガネケースの中に、バネブリッジ１部分を回転収納し入れたケース断面図の横正面図。
【産業上の利用可能性】
【００２８】  本発明の活用例として、バネブリッジ、１、取り付け装置は、従来のバネブリッジ、２に、取り付けることができる、それにより、レンズの傷付き、手垢付きが防止できる、それにより、レンズを、長く使用でき、また、レンズの手垢拭き取り回数がすくなくできる、また、自由自在に載置面に置くことができる、また、メガネを、手から落下してもレンズに傷付く可能性が低い、また、ブリッジ、１は、細いバネ線の直径０，５ｍｍで製造するので急に衝撃をうけても回転収納するか、曲がるので、安全性は保てる、また細い線なので目立つことなく美観面にも良く、従来の美観を保つことができる、また、片手の不自由な方でも掛け外しから取り扱いまでできる、そして、製造をバネ線１本と、弾力ゴム兼耐震ゴム、２コで構成製造できるので費用が安くできる。
【図面の簡単な説明】
【００２９】
【図１】  ブリッジ１付きメガネ本体斜面図
【図２】  メガネ本体とブリッジ１取り付け装置を取り付けた平面図
【図３】  ブリッジ、２と、バネブリッジ１の図２におけるＡ−Ａ線の断面図
【図４】  ブリッジ、１を、機能させた横正面図
【図５】  バネブリッジ、１、取り付け装置を回転収納した平面図
【図６】  バネブリッジ、１を、回転収納し図５におけるＢ−Ｂ線断面図
【図７】  ブリッジ１取り付け装置本体の斜面図
【図８】  バネブリッジ１取り付け装置をメガネに取り付け正面図
【図９】  メガネをケースに入れたケース断面図
【符号の説明】
【００３０】１、          バネブリッジ、１、
２、          本体ブリッジ、２、
３、４、      レンズフレーム
５、６、      つる
７、          レンズ
８、９、      取り付け引っかけ部
１０、１１、  ブリッジ、１の、取り付け、締め付け部
１２、１３、  バネブリッジ、１、取り付け装置取り付け位置の長さ、大小、調整曲部
１４、１５、  回転用弾力兼耐震ゴム
１６、１７、  鼻掛
１８、        レンズと載置面の空間部
１９、        載置面
８、９、１０、１１、１２、１３、  取り付け装置
２０、        メガネケースの中にメガネを入れたケースの断面図
【図１】
2006323324.tif 000003
【図２】
2006323324.tif 000004
【図３】
2006323324.tif 000005
【図４】
2006323324.tif 000006
【図５】
2006323324.tif 000007
【図６】
2006323324.tif 000008
【図７】
2006323324.tif 000009
【図８】
2006323324.tif 000010
【図９】
2006323324.tif 000011
【手続補正書】
【提出日】平成18年1月4日(2006.1.4)
【手続補正１】
【補正対象書類名】特許請求の範囲
【補正対象項目名】請求項１
【補正方法】変更
【補正の内容】
【請求項１】
本発明の、請求項、１、の、バネブリッジ、１、取り付け装置は、金属バネ線、０．５ｍｍを、図７、の様に形成製造し、従来のメガネブリッジ、２、に取り付ける装置である、その装置を取り付けることにより、従来のメガネレンズフレーム、３、と、４、の下面と、バネブリッジ、１、取り付け装置、ブリッジ先端の、３、点を載置面に接点させ、メガネレンズが載置面に触れない様にする、それによりレンズ傷付き、手垢付きを、防ぐことができる。又、バネブリッジ、１、取り付け装置を、従来のメガネブリッジ、２、に取り付けるさいを、図７、で説明する、バネブリッジ、１、取り付け装置の、８、と、９、の曲げ部の内側に、図７、のように、１４、と、１５、回転用弾力兼耐震ゴムを取り付ける、その取り付けたところと、１２、と、１３、の取り付け調整曲げ部と、１０、と、１１、の取り付け留部を大きく外側に開き、従来のメガネブリッジ、２、を中にはさみ入れた後、１０、と、１１、の取り付け留部を、バネブリッジ、１、に引っかけて締め付け取り付ける、そして、１４、と、１５、回転用弾力兼耐震ゴムにより、メガネブリッジ、２、と、取り付け装置の上、下、回転が良くなる、又、バネブリッジ、１、取り付け装置の、１２、と、１３、曲げ部の圧力バネの力で、８、に、１４、と、又、９、に、１５、を、取り付けた回転用弾力兼耐震ゴムにより安定した取り付けができ最良の機能を果たすことができる、又、バネブリッジ、１、取り付け装置は、従来のメガネブリッジ、２、に、同時に、フレーム全体と一体に形成製造できる、バネブリッジ、１、取り付け装置、又、傷付き手垢付き防止できる、又、バネブリッジ、１、取り付け装置は、取り付けにネジを使用しないことにより、最小限に製造で来る装置である。
【手続補正２】
【補正対象書類名】図面
【補正の内容】
2006323324.tif 000012
【手続補正書】
【提出日】平成18年3月17日(2006.3.17)
【手続補正１】
【補正対象書類名】手続補正書
【補正対象項目名】手続補正２
【補正方法】変更
【補正の内容】
【手続補正２】
【補正対象書類名】図面
【補正対象項目名】図３
【補正方法】変更
【補正の内容】
【図３】
2006323324.tif 000013
【手続補正２】
【補正対象書類名】手続補正書
【補正対象項目名】手続補正３
【補正方法】変更
【補正の内容】
【手続補正３】
【補正対象書類名】図面
【補正対象項目名】図６
【補正方法】変更
【補正の内容】
【図６】
2006323324.tif 000014